(57)【特許請求の範囲】
【請求項１】
収納される機器を支持する棚板を有する収納筐体部と、上記収納筐体部に開閉可能に設けられた扉とを備えており、上記扉は、不透明素材からなる扉本体部に、リモートコントローラーから出射される信号光を通過させるための開口部が形成されてなり、上記棚板は上記開口部に対して高さ調整可能に設けられており、上記開口部は、当該開口部の扉表面の入口から、または上記入口の周囲部に施した研磨箇所を過ぎた位置から途中箇所まで一定幅で水平に形成された水平部と、上記途中箇所から扉裏側にかけて幅が上記水平部の幅よりも広くされた拡散部とを有することを特徴とする機器収納家具。
【請求項２】
請求項１に記載の機器収納家具において、上記開口部は横方向に長く形成されたスリットであることを特徴とする機器収納家具。
【請求項３】
請求項１または請求項２に記載の機器収納家具において、上記開口部が上下方向に複数本形成されていることを特徴とする機器収納家具。
【請求項４】
請求項１〜請求項３のいずれか１項に記載の機器収納家具において、上記棚板を所定ピッチで段階的に高さ調整するための調整部群として第１調整部群と第２調整部群を少なくとも備えており、上記第１調整部群の使用と上記第２調整部群の使用とでは、上記所定ピッチ未満の間隔で上記開口部に対する上記棚板に高さの相違が生じることを特徴とする機器収納家具。
【請求項５】
請求項１〜請求項４のいずれか１項に記載の機器収納家具において、底板を有しており、上記棚板を外して上記底板上に上記機器を置くことで上記開口部に対する上記機器の信号受光部の高さが変化することを特徴とする機器収納家具。
【請求項６】
請求項１〜請求項５のいずれか１項に記載の機器収納家具において、上記拡散部は、上記途中箇所から上記扉裏側にかけて徐々に広がるテーパ形状を有することを特徴とする機器収納家具。
【発明の詳細な説明】
【技術分野】
【０００１】
この発明は、映像記録再生機器等を隠して収納することができる機器収納家具に関する。
【背景技術】
【０００２】
特許文献１には、光リモコン式オーディオ・ビデオ機器と、このオーディオ・ビデオ機器を制御するための発光部と、この発光部に制御信号を与える制御装置とを内部に設け、リモコン操作装置の光信号を受けて上記制御装置に伝送する受光部と、上記制御装置の制御状態を表示する表示部とを外部に設けたリビング家具が開示されている。このようなリビング家具であれば、仮に上記オーディオ・ビデオ機器の前面に不透明素材からなる扉が存在していても、上記オーディオ・ビデオ機器をリモートコントロールすることが可能である。
【先行技術文献】
【特許文献】
【０００３】
【特許文献１】特開平１−２９７００６号公報
【発明の概要】
【発明が解決しようとする課題】
【０００４】
しかしながら、上記リビング家具では、上記オーディオ・ビデオ機器を制御するための発光部と、この発光部に制御信号を与える制御装置と、リモコン操作装置の光信号を受けて上記制御装置に伝送する受光部とが必要であり、大掛かりな装置になるという欠点がある。
【０００５】
この発明は、上記の事情に鑑み、発光部や制御装置等を必要とせずに映像記録再生機器等を隠した状態でリモートコントローラーによる操作が行える機器収納家具を提供することを課題とする。
【課題を解決するための手段】
【０００６】
この発明の機器収納家具は、上記の課題を解決するために、収納される機器を支持する棚板を有する収納筐体部と、上記収納筐体部に開閉可能に設けられた扉とを備えており、上記扉は、不透明素材からなる扉本体部に、リモートコントローラーから出射される信号光を通過させるための開口部が形成されてなり、上記棚板は上記開口部に対して高さ調整可能に設けられていることを特徴とする。
【０００７】
上記の構成であれば、上記扉に、リモートコントローラーから出射される信号光を通過させるための開口部が形成されているので、上記機器を隠して上記扉のデザインを見せる状態としながら、当該扉に形成されている上記開口部によって信号光を通過させることができるので、上記扉で隠されている上記機器を上記リモートコントローラーによって操作することが可能になる。また、上記棚板が上記開口部に対して高さ調整可能に設けられているので、上記開口部と上記機器の信号受光部の高さが合っていない場合にも対応できる。
【０００８】
上記開口部は横方向に長く形成されたスリットであってもよい。これによれば、上記機器を横にずらしても、その信号受光部と上記スリットとの相対的な高さ関係が維持されることになる。
【０００９】
上記開口部が上下方向に複数本形成されていてもよい。これによれば、上記機器における信号受光部の高さが様々である場合にも対応することができる。
【００１０】
上記棚板を所定ピッチで段階的に高さ調整するための調整部群として第１調整部群と第２調整部群を少なくとも備えており、上記第１調整部群の使用と上記第２調整部群の使用とでは、上記所定ピッチ未満の間隔で上記開口部に対する上記棚板に高さの相違が生じるようにしてもよい。例えば、上記所定ピッチを１０ｍｍとし、上記所定ピッチ未満の間隔を５ｍｍとすることにより、１０ｍｍ，１５ｍｍ，２０ｍｍ，２５ｍｍといった間隔で上記開口部に対する上記棚板の高さ調整が行えるようになる。
【００１１】
底板を有しており、上記棚板を外して上記底板上に上記機器を置くことで上記開口部に対する上記機器の信号受光部の高さが変化するようにしてもよい。これによれば、上記棚板上の機器における信号受光部と上記開口部との相対的な高さが合っていない場合でも、上記棚板を外して上記底板上に上記機器を置くことで上記機器における信号受光部と上記開口部との相対的な高さを合せることが可能となる。
【００１２】
上記開口部は、扉表側から扉裏側にかけて一定幅で水平に形成されていてもよい。これによれば、上記開口部に対して斜め上方から出射された信号光は、上記開口部の下面側で反射し、特に１回反射の信号光については、扉の裏面側から斜め上を向いて出ていくので、上記扉で隠されている上記機器の信号受光部が上記開口部よりも高い位置にあると、上記信号受光部に信号光が到達し易くなる。また、上記開口部の高さと略同じ高さで平行に出射された信号光は、上記開口部内を直進していくので、上記扉で隠されている上記機器の信号受光部が上記開口部と同程度の高さの位置にあると、上記信号受光部に信号光が到達し易くなる。すなわち、このような開口部であれば、当該開口部の高さと同程度か或いは高い位置に信号受光部が位置するように上記機器を置けばよいことになる。
【００１３】
上記開口部における信号光を反射する面が、当該面を形成する素材自体の反射率よりも高い反射率を有するように加工されていてもよい。これによれば、２回反射の信号光についての光度低下が抑制され、機器に信号光が到達し易くなる。
【００１４】
上記開口部は、扉表側から途中箇所まで一定幅で水平に形成された水平部と、上記途中箇所から扉裏側にかけて幅が上記水平部の幅よりも広くされた拡散部とを有してもよい。これによれば、上記開口部に対して斜め上方から出射された信号光のうち、上記水平部の下面側で１回反射した信号光については、上記拡散部を通って扉の裏面側から斜め上を向いて出て行き易くなり、また、上記水平部において反射しないで直進する信号光については、上記拡散部を通って扉の裏面側から斜め下を向いて出て行き易くなる。したがって、上記扉で隠されている上記映像記録再生機器等の信号受光部が上記開口部よりも高い位置或いは低い位置にあると、上記信号受光部に信号光が到達し易くなる。また、上記開口部の高さと同程度の高さで平行に出射された信号光は、上記開口部内を直進していくので、上記扉で隠されている上記映像記録再生機器等の信号受光部が上記開口部と略同じ高さの位置にあると、上記信号受光部に信号光が到達し易くなる。すなわち、このような水平部と拡散部を有する開口部であれば、当該開口部の高さと同程度か高い位置または低い位置等様々な位置に信号受光部を位置させて上記映像記録再生機器等を置くことができる。
【００１５】
上記拡散部は、上記途中箇所から上記扉裏側にかけて徐々に広がるテーパ形状を有してもよい。上記扉を開けると上記拡散部が利用者に見えてしまう場合、このように見える拡散部は、例えば四角形凹溝による段状として視認されるよりも、テーパ形状である方が見栄えがよい。
【発明の効果】
【００１６】
本発明であれば、発光部や制御装置等を必要とせずに映像記録再生機器等を扉で隠した状態でリモートコントローラーによる操作が行えるという効果を奏する。
【図面の簡単な説明】
【００１７】
【図１】本発明の実施形態の扉を備える機器収納家具を示した概略の斜視図であり、同図（Ａ）は扉を閉めた状態を示しており、同図（Ｂ）は扉を開けた状態を示している。
【図２】同図（Ａ）は図１の機器収納家具の概略の縦断面図であり、同図（Ｂ）は扉のスリットを通る信号光の光路を示した説明図である。
【図３】図１の機器収納家具に対して、利用者の立位と座位並びに利用者の位置によってスリットへの信号光の入射角度が変化する様子を示した説明図である。
【図４】同図（Ａ）は他の実施形態の機器収納家具の概略の縦断面図であり、同図（Ｂ）は扉の拡散スリットを通る信号光の光路を示した説明図である。
【図５】図４の扉の拡散スリットを通る信号光の配光を示した説明図である。
【図６】本発明の他の実施形態の扉の拡散スリットを通る信号光の光路を示した説明図である。
【図７】拡散スリットにおける信号光の死角を示した説明図である。
【図８】同図（Ａ）および同図（Ｂ）は棚板を上下に２枚有する実施形態の機器収納家具を示した概略の断面図である。
【図９】同図（Ａ）および同図（Ｂ）は棚板を上下に２枚有する実施形態の機器収納家具を示した概略の断面図である。
【図１０】拡散スリットの作製工程における扉本体部の概略の断面形状を示した工程図である。
【発明を実施するための形態】
【００１８】
図１（Ａ）および図１（Ｂ）に示すように、この実施形態の機器収納家具１は、映像記録再生機器４等を収納する収納筐体部２と、上記収納筐体部２の中央前面側に例えば蝶番等によって開閉可能に設けられた扉３とを備える。上記機器収納家具１はリビングルーム等の床に置かれる。また、上記機器収納家具１の上面にディスプレイ５等を置くことができる。
【００１９】
上記収納筐体部２の両側には、例えば、引出し２１が設けられている。また、上記引出し２１間、すなわち機器収納家具１の中央部には、棚部２２が設けられており、この棚部２２に棚板２３が２段に設けられている。上記棚板２３上に上記映像記録再生機器４等を置くことができる。上記棚板２３の高さは段階的に或いは無段階で調整可能とすることができる。なお、上記映像記録再生機器４等における信号受光部４１は、製品毎に様々な高さに設けられるが、機器下端から２０ｍｍ程度の高さに設けられていることが多い。一方、旧来のビデオテープ付きの機器においては、機器高さが高く、機器下端から２０ｍｍの位置よりも上の位置に信号受光部４１が設けられることもある。
【００２０】
上記扉３は、木材等の不透明素材からなる扉本体部３１を備える。この扉本体部３１には、上記映像記録再生機器４等のリモートコントローラーから出射される信号光（赤外光）を通過させるための横方向に長いスリット（開口部）３２が、例えば上下方向に等間隔で４本形成されている。上記スリット３２は、例えば上記扉３の横幅の７０％から９５％程度の長さを有するように形成される。上記扉３の厚みは、例えば１５ｍｍ〜２５ｍｍ程度とされ、この実施形態では、２０ｍｍ厚の板材を用いている。また、上記スリット３２は、部材が存在しない空間とすることに限らず、ガラス等の透明部材が嵌め込まれていてもよいものである。
【００２１】
図２（Ａ）および図２（Ｂ）は、上記スリット３２の一例として、上記扉３の表側から上記扉３の裏側にかけて一定幅で横方向に長く形成された水平スリット３２１を示している。この水平スリット３２１に対して斜め上方から出射された信号光は、上記水平スリット３２１の下面側で反射し、特に１回反射の信号光については、上記扉３の裏面側から斜め上を向いて出ていくので、上記扉３で隠されている上記映像記録再生機器４等の信号受光部４１が上記水平スリット３２１よりも高い位置にあると、上記信号受光部４１に信号光が到達し易くなる。また、上記水平スリット３２１の高さと略同じ高さで平行に出射された信号光は、上記水平スリット３２１内を直進していくので、上記扉３で隠されている上記映像記録再生機器４等の信号受光部４１が上記水平スリット３２１と同程度の高さの位置にあると、上記信号受光部４１に信号光が到達し易くなる。すなわち、上記水平スリット３２１であれば、当該水平スリット３２１の高さと同程度か高い位置に上記信号受光部４１が位置するように上記映像記録再生機器４等を置けばよいことになる。
【００２２】
図２（Ｂ）では、上記水平スリット３２１の下面を基準にした入射角が１５°と２３°と３０°の角度を持つ信号光の反射光を点線で描いている。また、上記水平スリット３２１のスリット幅（上下幅）は５ｍｍであり、上記扉３の厚みは２０ｍｍとしている。このように扉３の厚みが２０ｍｍと厚いと、入射角が３０°の角度を持つ信号光のうち上記下面にて反射した信号光は、上記水平スリット３２１の上面に当たり、２回反射の信号光となり、強度が低下する。一方、入射角が２３°の角度を持つ信号光については、上記水平スリット３２１の下面にて反射した信号光の一部が上記水平スリット３２１の上面にて反射されるものの、他の部分は上記水平スリット３２１の上面に反射されずに上記水平スリット３２１から上方に出ていくことができる。この場合の信号光の出射幅は１．３９ｍｍ程度となる。また、入射角が１５°の角度を持つ信号光については、殆どが上記水平スリット３２１の上面に反射されずに、上記水平スリット３２１から上方に出ていくことができる。この場合の信号光の出射幅は４．４８ｍｍ程度となる。
【００２３】
ここで、図３に示すように、利用者が立位か或いは座位かにより、また、利用者が上記機器収納家具１に近い位置か或いは遠い位置に居るかにより、上記スリット３２への信号光の入射角度が変化することになる。例えば、最下位置のスリット３２の位置から利用者が立位のときのリモートコントローラーの高さが概ね１０００ｍｍ程度であると想定すると、上記スリット３２から１０００ｍｍ程度離れた場所からの上記最下位置のスリット３２への信号光の入射角度は、概ね４５°程度になる。
【００２４】
上記水平スリット３２１を採用する場合、入射角が３０°の角度を持つ信号光については、上記のごとく２回反射の信号光となり、強度が低下するため、上記４５°程度の入射角の信号光についても同様に２回反射によって強度が低下することになる。ただし、上記水平スリット３２１の下面および上面を、扉本体部３１の素材自体の反射率よりも高反射率な面とすることにより、上記信号光が２回以上反射しても強度の低下を極力抑えることができる。上記高反射面とする加工は、例えば、高反射塗料の塗布、或いは、高反射テープや高反射板の接着等により行うことが可能である。なお、上記水平スリット３２１のスリット幅は、４ｍｍ以上１２ｍｍ以内とするのが望ましく、より望ましくは、５ｍｍ以上１０ｍｍ以内とする。
【００２５】
図４（Ａ）および図４（Ｂ）は、上記スリット３２として、拡散スリット３２２を備える例を示している。この拡散スリット３２２は、扉３の表側から途中箇所まで一定幅で横方向に長く形成された水平部３２２ａと、上記途中箇所から扉３の裏側にかけてスリット幅が上記水平部３２２ａの幅よりも広くされた拡散部３２２ｂとを有している。この例では、上記水平部３２２ａの奥行きを８ｍｍとし、上記拡散部３２２ｂの奥行きを１２ｍｍとしている。上記水平部３２２ａのスリット幅（上下幅）は８ｍｍに設定されている。また、上記拡散部３２２ｂは、上記途中箇所から上記扉３の裏側にかけて徐々に広がるテーパ形状を有している。上記テーパの角度は９０°に設定されているが、このような角度に限らない。なお、上記拡散スリット３２２の上記水平部３２２ａにおいても、上記水平スリット３２１と同様、信号光を反射する面が、当該面を形成する素材自体の反射率よりも高い反射率を有するように加工されていてもよいものである。また、上記水平部３２２ａのスリット幅は、４ｍｍ以上１２ｍｍ以内とするのが望ましく、より望ましくは、５ｍｍ以上１０ｍｍ以内とする。
【００２６】
上記拡散スリット３２２に対して斜め上方から出射された信号光のうち、上記水平部３２２ａの下面側で１回反射した信号光については、上記拡散部３２２ｂを通って扉３の裏面側から斜め上を向いて出て行き易くなり、また、上記水平部３２２ａにおいて反射しないで直進する信号光については、上記拡散部３２２ｂを通って上記扉３の裏面側から斜め下を向いて出て行き易くなる。したがって、上記扉３で隠されている上記映像記録再生機器４等の信号受光部４１が上記拡散スリット３２２よりも高い位置或いは低い位置にあると、上記信号受光部４１に信号光が到達し易くなる。また、上記拡散スリット３２２の高さと略同じ高さで平行に出射された信号光は、上記拡散スリット３２２内を直進していくので、上記扉３で隠されている上記映像記録再生機器４等の信号受光部４１が上記拡散スリット３２２と同程度の高さの位置にあると、上記信号受光部４１に信号光が到達し易くなる。すなわち、このような水平部３２２ａと拡散部３２２ｂを有する拡散スリット３２２であれば、当該拡散スリット３２２の高さと同程度か高い位置または低い位置等様々な位置に上記信号受光部４１を位置させて上記映像記録再生機器４等を置くことができる。
【００２７】
図４（Ｂ）では、上記水平部３２２ａの下面を基準にした入射角が１５°と３０°の角度を持つ信号光の反射光を点線で描いている。また、上記拡散スリット３２２のスリット幅は８ｍｍであり、扉３の厚みは２０ｍｍとしている。上記扉３の厚みが２０ｍｍと厚くても、入射角が３０°の角度を持つ信号光は、無反射通過或いは１回反射通過で上記拡散スリット３２２から出ていくことができる。また、入射角が４５°の角度を持つ信号光であっても、無反射通過或いは１回反射通過で上記拡散スリット３２２から出ていくことを可能にすることができる。
【００２８】
なお、上記扉３の前面側であって上記水平部３２２ａの入口周囲に研磨を施すことで、上記水平部３２２ａの奥行きが１ｍｍ減って７ｍｍ程度となる場合もある。この場合、上記水平部３２２ａの下面の奥行きが短くなるものの、当該水平部３２２ａの上側面の前端の高さが高くなる。このため、１回反射通過よりも無反射通過の割合が多少増えることになるが、図４（Ｂ）の拡散スリット３２２の場合と殆ど変わらないものとなる。
【００２９】
図５は、リモートコントローラーから出射された信号光が上記拡散スリット３２２を通ったときの配光状態の概略を示している。上記拡散スリット３２２の面は特に鏡面としているものではなく、鏡面的な反射と拡散的な反射との合成的な配光特性が示される。上記拡散スリット３２２に仮に入射角度が３０°で信号光が入射すると、上記扉３の裏側において、水平軸に対して３０°程度上方の向きを中心として幅を持つ光束が得られることになる。なお、上記拡散スリット３２２を反射することなく通過した信号光には、上記のような拡散的な配光分布は得られず、ピンポイント的に上記信号受光部４１を位置させることが必要になる場合がある。
【００３０】
図６は、上記拡散スリット３２２の他の例を示している。この例では、上記水平部３２２ａのスリット幅（上下幅）は６ｍｍに設定されている。また、上記扉３の前面から上記水平部３２２ａの奥端までの長さを１０．５ｍｍとし、上記拡散部３２２ｂの奥行きを９．５ｍｍとしている。なお、上記扉３の前面側であって上記水平部３２２ａの入口周囲に研磨が施されており、上記水平部３２２ａの奥行きが１ｍｍ減って９．５ｍｍ程度となっている。また、この図６においては、上記扉３の裏面から１０ｍｍ離れた位置において、高さ方向に１０ｍｍピッチで黒丸を付している。この黒丸の位置は、棚板２３が１０ｍｍピッチで高さ変更される場合に、上記映像記録再生機器４等の信号受光部４１の高さが変化することを例示している。なお、上記拡散スリット３２２における上記水平部３２２ａのスリット幅は、４ｍｍ以上１２ｍｍ以内とするのが望ましく、より望ましくは、５ｍｍ以上１０ｍｍ以内とする。
【００３１】
図７は、上記扉３の裏面側において、上記拡散スリット３２２を通過する信号光の死角となるエリアの概略をクロスハッチングで示している。すなわち、上記死角となるエリアに上記映像記録再生機器４等の信号受光部４１が位置している場合、上記映像記録再生機器４等を操作できないおそれがある。
【００３２】
図８（Ａ）および図８（Ｂ）に示す機器収納家具１は、２枚の棚板２３のうちの上側の棚板２３を支持するために、上側の棚板２３の四隅近傍の左右縁部の下面には、それぞれ２つのダボピン用の穴群（第１調整部群）２５Ａと穴群（第２調整部群）２５Ｂを上下に設けている。上記ダボピン用の穴は所定ピッチである１０ｍｍピッチで形成されている。そして、図８（Ａ）に示しているように、上から２番目であるＢ位置の拡散スリット３２２の中心位置から２５ｍｍ下方に棚板２３の上面が位置しているとすれば（図では、上側穴群２５Ａのうち下から２番目を使用）、このときよりも１つ上の穴を用いると、上記Ｂ位置の拡散スリット３２２の中心位置から１５ｍｍ下方に棚板２３の上面を位置させることができる。換言すれば、上記Ｂ位置の拡散スリット３２２の中心位置から２０ｍｍ下方に棚板２３の上面を位置させることはできない。
【００３３】
上記拡散スリット３２２の中心位置から２０ｍｍ下方に棚板２３の上面を位置させる場合には、図８（Ｂ）に示しているように、上から３番目であるＣ位置の拡散スリット３２２を用いることとする。この場合は、下側穴群２５Ｂを用いる。この下側穴群２５Ｂは、上側穴群２５Ａとピッチが上記所定ピッチ未満の間隔（例えば５ｍｍ）ずれるように形成されている。このため、例えば、下側穴群２５Ｂの下から３番目の穴を使用すると、上から３番目であるＣ位置の拡散スリット３２２の中心位置から２０ｍｍ下方に棚板２３の上面を位置させることができる。すなわち、上側穴群２５Ａの使用と上記下側穴群２５Ｂの使用とでは、上記所定ピッチ未満の間隔で上記拡散スリット３２２に対する上記棚板２３に高さの相違が生じる。なお、上記のように、所定ピッチを１０ｍｍとし、ずれ（上記所定ピッチ未満の間隔）を５ｍｍとすることに限るものではない。
【００３４】
また、上記機器収納家具１は、２枚の棚板２３のうちの下側の棚板２３を支持するためのダボピン用の穴群２５Ｃを備えている。この穴群２５Ｃの下から２番目の穴を用いるときには、上から４番目であるＤ位置の拡散スリット３２２の中心位置から２１ｍｍ下方に下側の棚板２３の上面を位置させることができる。また、上記穴群２５Ｃの最も下の穴を用いるときには、上記Ｄ位置の拡散スリット３２２の中心位置から３１ｍｍ下方に下側の棚板２３の上面を位置させることができる。
【００３５】
なお、図９（Ａ）および図９（Ｂ）に示すように、ダボピン用の穴群２５Ａと穴群２５Ｂを当該機器収納家具１の前後方向にずらして設けることとしてもよい。上記ダボピン用の穴は例えば１０ｍｍピッチで形成されており、上記穴群２５Ａと穴群２５Ｂの相互位置は上下に５ｍｍずらされている。そして、上側の棚板２３の四隅近傍の左右縁部の下面には、ダボピンが係合する凹部が前後方向に２個、上記穴群２５Ａと穴群２５Ｂの前後ずらし量に対応した距離離間して形成されている。このような構成においても、例えば５ｍｍピッチで上側の棚板２３の高さ調節が行える。さらに、この構成であれば、先の構成ように拡散スリット３２２の変更を要しない利点も得られる。
【００３６】
また、上記機器収納家具１は、底板２４を備えている。上記下側の棚板２３を取り外したときには、上記底板２４に上記映像記録再生機器４等を置くことができる。すなわち、上記下側の棚板２３を外して上記底板２４上に上記映像記録再生機器４等を置くことで上記スリット３２に対する上記映像記録再生機器４等の信号受光部４１の高さを変えることができる。
【００３７】
最も上に位置するＡ位置の拡散スリット３２２は、上記映像記録再生機器４等の信号受光部４１が比較的高い箇所にある場合に利用される。同様に、上記映像記録再生機器４等の信号受光部４１が比較的高い箇所にある場合、上記下側の棚板２３を取り外して上記底板２４に上記映像記録再生機器４等を置くことでも対応できる。
【００３８】
次に、図１０に基づいて、上記拡散スリット３２２の形成方法例について説明する。加工対象となる板材（扉本体部３１を構成する板材）は、無垢材板３１ａの表裏両面に化粧板３１ｂを設けてなるものである。上記拡散スリット３２２を形成する箇所には、（ａ）に示すように、角型の凹溝を上記板材の端から端まで形成する。次に、上記凹溝に接着剤を塗布し、（ｂ）に示すように、無垢材からなる埋め込み板３１ｃを圧入して固定する。なお、この無垢材からなる埋め込み板３１ｃにより、上記化粧板３１ｂの切削端面が露呈せずに無垢材が露呈するので、上記扉３の意匠性が向上する。次に、（ｃ）および（ｄ）に示すように、上記埋め込み板３１ｃの上面にＲ１２．５ｍｍの凹曲面溝を曲面切削工具５１により形成する。次に、上記角型の凹溝に、（ｅ）に示すように、エンドミル５２を入れて加工することにより、一定幅で横方向に長いスリットを形成する。次に、上記拡散部３２２ｂとなる箇所を、（ｆ）に示すように、テーパ面を形成できるエンドミル５３によって加工する。次に、（ｇ）に示すように、扉本体部３１の四隅部を仕上げ材３１ｄによって仕上げ加工する。そして、上記拡散スリット３２２となる箇所の扉前面において、上記埋め込み板３１ｃを含む領域を研磨部材５４により研磨し、その後にウレタン塗装を行う。このウレタン塗装により、上記拡散スリット３２２の光反射率が向上する。もちろん、この作製方法は一例であり、この作製方法に限られるものではない。なお、上記扉本体部３１が無垢材板３１ａを有し、上記スリット３２が上記無垢材部分無垢材板３１ａに形成されていると、上記無垢材板３１ａが上記スリット３２における反射面を形成するので、合板等の積層面が反射面を形成する場合に比べて高い反射率を得ることができる。
【００３９】
上記拡散部３２２ｂはテーパ形状に限らない。例えば、上記拡散部３２２ｂは、上記拡散スリット３２２の途中箇所から上記扉裏側にかけて急峻に広がる四角凹形状を有していてもよい。なお、上記機器収納家具１は、図１（Ｂ）に示したように、上記扉３が開けられた状態では、利用者に見える状態となるが、上記拡散部３２２ｂがテーパ形状である方が、上記四角凹形状とされる場合よりも見栄えがよい。
【００４０】
上記スリット３２の本数は４本に限らず、例えば、１本から１０本の範囲とすることができる。上記スリット３２が上下方向に複数本形成されていれば、上記映像記録再生機器４等における信号受光部４１の高さが様々である場合にも対応できるようになる。また、本数が多いほど信号光の死角が少なくなるが、デザイン性が低下し加工コストが高くなる傾向がある。なお、上記スリット３２を１本とする場合には、この１本のスリット３２に対して１段棚板の高さを調節できるようにする。棚板の高さ調節は無段階で行うようにしてもよい。例えば、支柱部に上下にガイドされるガイド部材に螺子孔を形成しておき、この螺子孔に螺合するボルトの先端を上記支柱に圧接し、任意の高さで上記ガイド部材を固定する。上記ガイド部材で棚板を支持することで、上記映像記録再生機器４等を無段階で高さ調節が行える。
【００４１】
また、複数本設けられるスリット３２において、全てを同じ形状とすることに限るものではない。例えば、複数本設けられる拡散スリット３２２において、その拡散部３２２ｂのテーパ角度、或いは水平部３２２ａと拡散部３２２ｂの奥行きの比率を違えるなどしてもよい。また、複数本設けられるスリット３２において、上記水平スリット２３１と上記拡散スリット３２２を混在させてもよい。また、複数本設けられるスリット３２の間隔を均等とせずに、上側ほど或いは下側ほど間隔が狭まるようにしてもよい。また、上記スリット３２として、扉表側から扉裏側にかけて水平とするのではなく、例えば、扉裏側にかけて斜めに上を向く形状のスリットを採用してもよい。
【００４２】
このように、上記機器収納家具１は、機器を収納する収納筐体部２と、上記収納筐体部２に開閉可能に設けられた上記扉３とからなるので、上記映像記録再生機器４等を上記収納筐体部２に入れて上記扉３で隠して当該扉のデザインを見せる状態としながら、当該扉３に形成されている上記スリット３２によって信号光を通過させることができるので、リモートコントローラーによって上記収納筐体部２内の上記映像記録再生機器４等を操作することが可能になる。また、上記棚板２３が上記スリット３２に対して高さ調整可能に設けられているので、上記スリット３２と上記映像記録再生機器４等の信号受光部４１の高さが合っていない場合にも対応できる。
【００４３】
上記棚板２３を所定ピッチで段階的に高さ調整するための調整部群として第１調整部群と第２調整部群を少なくとも備え、上記第１調整部群の使用と上記第２調整部群の使用とでは、上記所定ピッチ未満の間隔で上記開口部に対する上記棚板に高さの相違が生じるようにしていると、例えば、上記所定ピッチを１０ｍｍとし、上記所定ピッチ未満の間隔を５ｍｍとすることにより、１０ｍｍ，１５ｍｍ，２０ｍｍ，２５ｍｍといった間隔で上記スリット３２に対する上記棚板２３の高さ調整が行えるようになる。
【００４４】
上記棚板２３を外して上記底板２４上に上記映像記録再生機器４等を置くことで上記スリット３２に対する上記映像記録再生機器４等の信号受光部４１の高さを変化させるようにすると、上記棚板２３上の上記映像記録再生機器４等における信号受光部４１と上記スリット３２との相対的な高さが合っていない場合でも、上記棚板２３を外して上記底板２４上に上記映像記録再生機器４等を置くことで上記信号受光部４１と上記スリット３２との相対的な高さを合せることが可能となる。
【００４５】
なお、リモートコントローラーから出射される信号光を通過させるための開口部として上記スリット３２を示したが、これに限らず、例えば円形や正方形の複数の開口部を扉３に形成してもよい。このような開口部の直径或いは一辺の長さは、４ｍｍ以上１２ｍｍ以内とするのが望ましく、より望ましくは、５ｍｍ以上１０ｍｍ以内とする。また、このように形成した開口部に透明材料からなる拡散光学部材を嵌め込むようにしてもよい。上記拡散光学部材は入射した信号光を扉３の裏面側で上下左右に拡散することが可能である。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      機器収納家具
２      収納筐体部
２３    棚板
２４    底板
２５Ａ  穴群
２５Ｂ  穴群
３      扉
３１    扉本体部
３２    スリット（開口部）
３２１  水平スリット
３２２  拡散スリット
３２２ａ水平部
３２２ｂ拡散部
４      映像記録再生機器（機器）
【図１】
0006717561.tif 000002
【図２】
0006717561.tif 000003
【図３】
0006717561.tif 000004
【図４】
0006717561.tif 000005
【図５】
0006717561.tif 000006
【図６】
0006717561.tif 000007
【図７】
0006717561.tif 000008
【図８】
0006717561.tif 000009
【図９】
0006717561.tif 000010
【図１０】
0006717561.tif 000011